(57)【特許請求の範囲】
【請求項１】
無線通信端末から受信されたＧＰＳ衛星情報や基地局情報に基づいて当該無線通信端末の位置を特定する位置情報サーバと共に位置特定システム内で用いられる無線通信端末であって、
それぞれがＧＰＳ衛星や基地局を検索する複数の検索手段と、
前記複数の検索手段により検索されたＧＰＳ衛星や基地局に関する検索情報を取得し、その取得された検索情報を電話無線手段から位置情報サーバに送信させる制御手段と、
ユーザが操作するための操作手段とを備え、
前記制御手段は、ユーザによりＧＰＳ／基地局検索モードが選択されたときには、前記複数の検索手段のうちのＧＰＳ衛星を検索する検索手段および基地局を検索する検索手段の双方を動作させ、その取得されたＧＰＳ衛星情報および基地局情報を前記電話無線手段から前記位置情報サーバに送信させ、ユーザにより基地局検索モードが選択されたときには、前記複数の検索手段のうちのＧＰＳ衛星を検索する検索手段の動作を禁止させると共に基地局を検索する検索手段のみを動作させ、その取得された基地局情報のみを前記電話無線手段から前記位置情報サーバに送信させることを特徴とする無線通信端末。
【請求項２】
無線通信端末から受信されたＧＰＳ衛星情報や基地局情報に基づいて当該無線通信端末の位置を特定する位置情報サーバと共に位置特定システム内で用いられる無線通信端末であって、
それぞれがＧＰＳ衛星や基地局を検索する複数の検索手段と、
前記複数の検索手段により検索されたＧＰＳ衛星や基地局に関する検索情報を取得し、その取得された検索情報を電話無線手段から位置情報サーバに送信させる制御手段とを備え、
前記制御手段は、位置情報サーバからアシスト情報として無線通信端末がＧＰＳ衛星を検索するのに要する検索時間を取得し、その取得された検索時間が第１の所定時間を越えているときには、前記複数の検索手段のうちのＧＰＳ衛星を検索する検索手段の動作を禁止させると共に基地局を検索する検索手段のみを動作させ、その取得された基地局情報のみを前記電話無線手段から前記位置情報サーバに送信させることを特徴とする無線通信端末。
【請求項３】
無線通信端末から受信されたＧＰＳ衛星情報や基地局情報に基づいて当該無線通信端末の位置を特定する位置情報サーバと共に位置特定システム内で用いられる無線通信端末に、
ユーザによりＧＰＳ／基地局検索モードおよび基地局検索モードのうちいずれが選択されたか否かを判定させる手順と、
ユーザによりＧＰＳ／基地局検索モードが選択されたと判定されたときに、複数の検索手段のうちのＧＰＳ衛星を検索する検索手段および基地局を検索する検索手段の双方を動作させ、その取得されたＧＰＳ衛星情報および基地局情報を電話無線手段から前記位置情報サーバに送信させる手順と、
ユーザにより基地局検索モードが選択されたと判定されたときに、前記複数の検索手段のうちのＧＰＳ衛星を検索する検索手段の動作を禁止させると共に基地局を検索する検索手段のみを動作させ、その取得された基地局情報のみを前記電話無線手段から前記位置情報サーバに送信させる手順とを実行させるためのコンピュータプログラム。
【請求項４】
無線通信端末から受信されたＧＰＳ衛星情報や基地局情報に基づいて当該無線通信端末の位置を特定する位置情報サーバと共に位置特定システム内で用いられる無線通信端末に、
位置情報サーバからアシスト情報として無線通信端末がＧＰＳ衛星を検索するのに要する検索時間を取得させる手順と、
その取得された検索時間が第１の所定時間を越えているときには、複数の検索手段のうちのＧＰＳ衛星を検索する検索手段の動作を禁止させると共に基地局を検索する検索手段のみを動作させ、その取得された基地局情報のみを電話無線手段から前記位置情報サーバに送信させる手順とを実行させるためのコンピュータプログラム。
【請求項５】
無線通信端末から受信されたＧＰＳ衛星情報や基地局情報に基づいて当該無線通信端末の位置を特定する位置情報サーバと共に位置特定システム内で用いられる無線通信端末において、ユーザによりＧＰＳ／基地局検索モードおよび基地局検索モードのうちいずれが選択されたか否かを判定し、ユーザによりＧＰＳ／基地局検索モードが選択されたと判定したときに、複数の検索手段のうちのＧＰＳ衛星を検索する検索手段および基地局を検索する検索手段の双方を動作し、その取得されたＧＰＳ衛星情報および基地局情報を電話無線手段から前記位置情報サーバに送信し、ユーザにより基地局検索モードが選択されたと判定したときに、前記複数の検索手段のうちのＧＰＳ衛星を検索する検索手段の動作を禁止すると共に基地局を検索する検索手段のみを動作し、その取得された基地局情報のみを前記電話無線手段から前記位置情報サーバに送信することを特徴とする検索情報の送信方法。
【請求項６】
無線通信端末から受信されたＧＰＳ衛星情報や基地局情報に基づいて当該無線通信端末の位置を特定する位置情報サーバと共に位置特定システム内で用いられる無線通信端末において、位置情報サーバからアシスト情報として無線通信端末がＧＰＳ衛星を検索するのに要する検索時間を取得し、その取得された検索時間が第１の所定時間を越えているときには、複数の検索手段のうちのＧＰＳ衛星を検索する検索手段の動作を禁止すると共に基地局を検索する検索手段のみを動作し、その取得された基地局情報のみを電話無線手段から前記位置情報サーバに送信することを特徴とする検索情報の送信方法。
【発明の詳細な説明】
【０００１】
【発明の属する技術分野】
本発明は、ＧＰＳ衛星や基地局を検索して取得された検索情報を位置情報サーバに送信するように構成された無線通信端末、前記無線通信端末にて実行されるコンピュータプログラムならびに検索情報の送信方法に関する。
【０００２】
【発明が解決しようとする課題】
例えば携帯電話機などの無線通信端末の位置を特定する位置特定システムの一つとして、ＧＰＳ（Grobal Positioning System ）衛星やＣＤＭＡ（Code Division Multiple Access ）基地局を利用するシステムがある。この種の位置特定システムの一例として、携帯電話機は、例えばユーザの操作による測位を開始する指示があると、ＣＤＭＡ基地局を検索し、その検索されたＣＤＭＡ基地局に関するＣＤＭＡ基地局情報を取得して位置情報サーバに送信すると共に、自身がＧＰＳ衛星を検索するのに有益なアシスト情報を要求する。
【０００３】
位置情報サーバは、携帯電話機からＣＤＭＡ基地局情報を受信すると共に、携帯電話機からアシスト情報の要求を受付けると、携帯電話機から受信されたＣＤＭＡ基地局情報に基づいて携帯電話機のおおよその位置を特定すると共に、その特定された携帯電話機のおおよその位置に基づいて携帯電話機がＧＰＳ衛星を検索するのに有益なアシスト情報を算出し、その算出されたアシスト情報を携帯電話機に送信する。携帯電話機は、位置情報サーバからアシスト情報を受信すると、その受信されたアシスト情報に基づいてＧＰＳ衛星を検索し、その検索されたＧＰＳ衛星に関するＧＰＳ衛星情報を取得して位置情報サーバに送信すると共に、測位結果を要求する。
【０００４】
そして、位置情報サーバは、携帯電話機からＧＰＳ衛星情報を受信すると共に、携帯電話機から測位結果の要求を受付けると、携帯電話機から受信されたＧＰＳ衛星情報や、先に携帯電話機から受信されたＣＤＭＡ基地局情報に基づいて携帯電話機の位置を特定し、その特定された位置を表す測位結果を携帯電話機に送信する。
【０００５】
このものによれば、携帯電話機が位置情報サーバから受信されたアシスト情報に基づいてＧＰＳ衛星を検索することから、システム全体としての測位に要する時間を短縮することができ、また、携帯電話機が自身で位置を特定するのでなく、位置情報サーバが携帯電話機の位置を特定することから、携帯電話機の負荷を軽減することができると共に、携帯電話機の消費電力を低減することができるなどの利点がある。
【０００６】
ところで、携帯電話機は、周囲環境などの影響により、ＧＰＳ衛星を検索するのに長時間を要し、ＧＰＳ衛星情報を取得するのに長時間を要する場合がある。しかしながら、このようにＧＰＳ衛星情報を取得するのに長時間を要する場合には、一般的に、適切なＧＰＳ衛星情報を取得することができない場合が多く、結果的に、ユーザに長時間の待機を強いるのにも拘らず、測位精度の低い測位結果しか提供することができず、利便性に劣るという問題がある。
【０００７】
本発明は、上記した事情に鑑みてなされたものであり、その目的は、検索情報を取得するのに長時間を要する場合には、ユーザに長時間の待機を強いることを未然に回避することができ、それによって、利便性を高めることができる無線通信端末、コンピュータプログラムならびに検索情報の送信方法を提供することにある。
【０００８】
【課題を解決するための手段】
請求項１に記載した無線通信端末によれば、制御手段は、ユーザによりＧＰＳ／基地局検索モードが選択されたときには、複数の検索手段のうちのＧＰＳ衛星を検索する検索手段および基地局を検索する検索手段の双方を動作させ、その取得されたＧＰＳ衛星情報および基地局情報を電話無線手段から位置情報サーバに送信させ、ユーザにより基地局検索モードが選択されたときには、複数の検索手段のうちのＧＰＳ衛星を検索する検索手段の動作を禁止させると共に基地局を検索する検索手段のみを動作させ、その取得された基地局情報のみを電話無線手段から位置情報サーバに送信させるように構成した。したがって、ＧＰＳ衛星情報を取得するのに長時間を要する場合には、そのＧＰＳ衛星情報を取得するためのＧＰＳ衛星を検索する検索手段の動作を禁止する分、測位結果を取得するまでに要する時間を短縮することができ、これによって、ユーザに長時間の待機を強いることを未然に回避することができ、利便性を高めることができる。
【０００９】
請求項２に記載した無線通信端末によれば、制御手段は、位置情報サーバからアシスト情報として無線通信端末がＧＰＳ衛星を検索するのに要する検索時間を取得し、その取得された検索時間が第１の所定時間を越えているときには、複数の検索手段のうちのＧＰＳ衛星を検索する検索手段の動作を禁止させると共に基地局を検索する検索手段のみを動作させ、その取得された基地局情報のみを電話無線手段から位置情報サーバに送信させるように構成した。したがって、ＧＰＳ衛星を検索する検索手段が動作を開始してから終了するまでに要する検索時間が第１の所定時間を越えている場合に、測位結果を取得するまでに要する時間を短縮することができ、ユーザに長時間の待機を強いることを未然に回避することができる。
【００１０】
請求項３に記載したコンピュータプログラムによれば、そのコンピュータプログラムを無線通信端末にインストールして実行させると、ユーザによりＧＰＳ／基地局検索モードおよび基地局検索モードのうちいずれが選択されたか否かを判定させる手順と、ユーザによりＧＰＳ／基地局検索モードが選択されたと判定されたときに、複数の検索手段のうちのＧＰＳ衛星を検索する検索手段および基地局を検索する検索手段の双方を動作させ、その取得されたＧＰＳ衛星情報および基地局情報を電話無線手段から位置情報サーバに送信させる手順と、ユーザにより基地局検索モードが選択されたと判定されたときに、複数の検索手段のうちのＧＰＳ衛星を検索する検索手段の動作を禁止させると共に基地局を検索する検索手段のみを動作させ、その取得された基地局情報のみを電話無線手段から位置情報サーバに送信させる手順とを実行するので、上記した請求項１に記載したものと同様の作用効果を得ることができる。すなわち、ＧＰＳ衛星情報を取得するのに長時間を要する場合には、そのＧＰＳ衛星情報を取得するためのＧＰＳ衛星を検索する検索手段の動作を禁止する分、測位結果を取得するまでに要する時間を短縮することができ、これによって、ユーザに長時間の待機を強いることを未然に回避することができ、利便性を高めることができる。
【００１１】
請求項４に記載したコンピュータプログラムによれば、そのコンピュータプログラムを無線通信端末にインストールして実行させると、位置情報サーバからアシスト情報として無線通信端末がＧＰＳ衛星を検索するのに要する検索時間を取得させる手順と、その取得された検索時間が第１の所定時間を越えているときには、複数の検索手段のうちのＧＰＳ衛星を検索する検索手段の動作を禁止させると共に基地局を検索する検索手段のみを動作させ、その取得された基地局情報のみを電話無線手段から位置情報サーバに送信させる手順とを実行するので、上記した請求項２に記載したものと同様の作用効果を得ることができる。すなわち、ＧＰＳ衛星を検索する検索手段が動作を開始してから終了するまでに要する検索時間が第１の所定時間を越えている場合に、測位結果を取得するまでに要する時間を短縮することができ、ユーザに長時間の待機を強いることを未然に回避することができる。
【００１２】
請求項５に記載した検索情報の送信方法によれば、無線通信端末において、ユーザによりＧＰＳ／基地局検索モードおよび基地局検索モードのうちいずれが選択されたか否かを判定し、ユーザによりＧＰＳ／基地局検索モードが選択されたと判定したときに、複数の検索手段のうちのＧＰＳ衛星を検索する検索手段および基地局を検索する検索手段の双方を動作し、その取得されたＧＰＳ衛星情報および基地局情報を電話無線手段から位置情報サーバに送信し、ユーザにより基地局検索モードが選択されたと判定したときに、複数の検索手段のうちのＧＰＳ衛星を検索する検索手段の動作を禁止すると共に基地局を検索する検索手段のみを動作し、その取得された基地局情報のみを電話無線手段から位置情報サーバに送信するので、上記した請求項１に記載したものと同様の作用効果を得ることができる。すなわち、ＧＰＳ衛星情報を取得するのに長時間を要する場合には、そのＧＰＳ衛星情報を取得するためのＧＰＳ衛星を検索する検索手段の動作を禁止する分、測位結果を取得するまでに要する時間を短縮することができ、これによって、ユーザに長時間の待機を強いることを未然に回避することができ、利便性を高めることができる。
【００１３】
請求項６に記載した検索情報の送信方法によれば、無線通信端末において、位置情報サーバからアシスト情報として無線通信端末がＧＰＳ衛星を検索するのに要する検索時間を取得し、その取得された検索時間が第１の所定時間を越えているときには、複数の検索手段のうちのＧＰＳ衛星を検索する検索手段の動作を禁止すると共に基地局を検索する検索手段のみを動作し、その取得された基地局情報のみを電話無線手段から位置情報サーバに送信するので、上記した請求項２に記載したものと同様の作用効果を得ることができる。すなわち、ＧＰＳ衛星を検索する検索手段が動作を開始してから終了するまでに要する検索時間が第１の所定時間を越えている場合に、測位結果を取得するまでに要する時間を短縮することができ、ユーザに長時間の待機を強いることを未然に回避することができる。
【００１９】
【発明の実施の形態】
以下、本発明の無線通信端末を携帯電話機に適用した一実施例について、図面を参照して説明する。
まず、図１は、携帯電話機の機能ブロックならびに周辺の構成を概略的に示している。携帯電話機１は、マイクロコンピュータを主体としてなるＣＰＵ（Central Processing Unit ）２（本発明でいう制御手段）に、ＧＰＳ（Grobal Positioning System ）衛星３を検索するＧＰＳ無線部４（本発明でいう検索手段）と、ＣＤＭＡ（Code Division Multiple Access ）基地局５を検索すると共に、位置情報サーバ６との間で、ＣＤＭＡ基地局５、基地局制御装置７ならびにＣＤＭＡ電話網８を通じて情報を送受信するＣＤＭＡ無線部９（本発明でいう検索手段、電話無線手段）と、マイクロホン１０から入力した送話音声やスピーカ１１から出力する受話音声を処理する音声処理部１２と、「通話開始」キー、「通話終了」キー、「０」〜「９」の「数字」キーなどの多数のキーを配列したキーパッドから構成される操作部１３（本発明でいう操作手段）と、日付・時刻や電話番号などを表示する液晶ディスプレイから構成される表示部１４と、ＲＡＭ（Random Access Memory  ）やＲＯＭ（Read Only Memory）から構成される記憶部１５と、計時機能を有する計時部１６とが接続された構成となっている。この場合、操作部１３は、表示部１４に表示されるタッチパネル型のものであっても良く、また、ＧＰＳ無線部４のアンテナとＣＤＭＡ無線部９のアンテナとを兼用する構成であっても良い。
【００２０】
このような構成では、携帯電話機１は、ＧＰＳ衛星３を検索して取得されたＧＰＳ衛星情報やＣＤＭＡ基地局５を検索して取得されたＣＤＭＡ基地局情報を、ＣＤＭＡ基地局５、基地局制御装置７ならびにＣＤＭＡ電話網８を通じて位置情報サーバ６に送信し、位置情報サーバ６は、携帯電話機１からＧＰＳ衛星情報やＣＤＭＡ基地局情報を受信すると、携帯電話機１から受信されたＧＰＳ衛星情報やＣＤＭＡ基地局情報に基づいて携帯電話機１の位置を特定し、その特定された位置を表す測位結果を、ＣＤＭＡ電話網８、基地局制御装置７ならびにＣＤＭＡ基地局５を通じて携帯電話機１に送信する。
【００２１】
次に、上記した構成の作用について、図２ないし図４も参照して説明する。ここで、図２ならびに図３は、ＣＰＵ２が実行するコンピュータプログラムのアルゴリズムをフローチャートとして概略的に示している。
【００２２】
携帯電話機１において、ＣＰＵ２は、例えばユーザが測位を開始する指示を操作部１３にて行ったことを検出すると（ステップＳ１にて「ＹＥＳ」）、図４に示すような「検索モード」を選択するための選択画面を表示部１４に表示させる（ステップＳ２）。ここで、ユーザは、「検索モード」として「ＧＰＳ／ＣＤＭＡ検索モード」或いは「ＣＤＭＡ検索モード」のいずれかを選択することができる。
【００２３】
そして、ＣＰＵ２は、ユーザが「ＧＰＳ／ＣＤＭＡ検索モード」を選択する指示を操作部１３にて行ったことを検出すると（ステップＳ３にて「ＹＥＳ」）、「検索モード」として「ＧＰＳ／ＣＤＭＡ検索モード」を設定し（ステップＳ４）、これに対して、ユーザが「ＣＤＭＡ検索モード」を選択する指示（本発明でいう第１の所定操作）を操作部１３にて行ったことを検出すると（ステップＳ５にて「ＹＥＳ」）、「検索モード」として「ＣＤＭＡ検索モード」を設定する（ステップＳ６）。
【００２４】
さて、ＣＰＵ２は、このようにして「検索モード」として「ＧＰＳ／ＣＤＭＡ検索モード」を設定すると、ＣＤＭＡ無線部９によりＣＤＭＡ基地局５を検索させ（ステップＳ７）、ＣＤＭＡ基地局５に関するＣＤＭＡ基地局情報を取得する（ステップＳ８）。そして、ＣＰＵ２は、その取得されたＣＤＭＡ基地局情報をＣＤＭＡ無線部９から位置情報サーバ６に送信させると共に、ＧＰＳ無線部４がＧＰＳ衛星３を捕捉するのに有益なアシスト情報を要求する（ステップＳ９）。
【００２５】
位置情報サーバ６は、携帯電話機１からＣＤＭＡ基地局情報を受信すると共に、携帯電話機１からアシスト情報の要求を受付けると、携帯電話機１から受信されたＣＤＭＡ基地局情報に基づいて携帯電話機１のおおよその位置を特定すると共に、その特定された携帯電話機１のおおよその位置に基づいて携帯電話機１がＧＰＳ衛星３を検索するのに有益なアシスト情報を算出し、その算出されたアシスト情報を携帯電話機１に送信する。このとき、位置情報サーバ６は、携帯電話機１がＧＰＳ衛星３を検索するのに要する検索時間を表す「ウィンドウサイズ」をアシスト情報に含めて送信する。尚、この「ウィンドウサイズ」により表される検索時間は、ＧＰＳ電波の位相差のばらつきが相対的に大きい場合には、相対的に長い時間を示すものであり、これに対して、ＧＰＳ電波の位相差のばらつきが相対的に小さい場合には、相対的に短い時間を示すものである。
【００２６】
携帯電話機１において、ＣＰＵ２は、位置情報サーバ６からアシスト情報がＣＤＭＡ無線部９により受信されたことを検出すると（ステップＳ１０にて「ＹＥＳ」）、その受信されたアシスト情報から「ウィンドウサイズ」を抽出する（ステップＳ１１）。そして、ＣＰＵ２は、その抽出された「ウィンドウサイズ」により表される時間と、あらかじめ設定されている閾値に対応する時間（本発明でいう第１の所定時間）とを比較する（ステップＳ１２）。
【００２７】
ここで、ＣＰＵ２は、「ウィンドウサイズ」により表される時間が閾値に対応する時間を越えていないことを検出すると（ステップＳ１２にて「ＮＯ」）、ＧＰＳ無線部４によるＧＰＳ衛星３の検索を開始させ（ステップＳ１３）、計時部１６による所定時間（本発明でいう第２の所定時間）の計時を開始させる（ステップＳ１４）。
【００２８】
そして、ＣＰＵ２は、計時部１６による所定時間の計時が終了したか否かを監視し（ステップＳ１５）、ユーザによる測位を中止する指示（本発明でいう第２の所定操作）が操作部１３にて行われたか否かを監視し（ステップＳ１６）、ＧＰＳ衛星３の検索結果が適切であるか否かを監視する（ステップＳ１７）。このとき、ＣＰＵ２は、ＧＰＳ衛星３の検索結果が適切であるか否かの判定は、ＧＰＳ電波に基づいてＧＰＳ衛星３との間の擬似距離（Pseudo Range）やＣＮ（Carrier to Noise）比を適切に計測することができたか否かにより行う。
【００２９】
さて、ＣＰＵ２は、計時部１６による計時が終了するよりも先に、ユーザによる測位を中止する指示が操作部１３にて操作が行われることなく、ＧＰＳ衛星３の検索結果が適切であることを検出すると（ステップＳ１７にて「ＹＥＳ」）、ＧＰＳ無線部４によるＧＰＳ衛星３の検索を終了させ（ステップＳ１８）、計時部１６による計時を終了させる（ステップＳ１９）。そして、ＣＰＵ２は、ＧＰＳ衛星３を検索させて取得されたＧＰＳ衛星情報を位置情報サーバ６に送信させると共に、測位結果を要求する（ステップＳ２０）。
【００３０】
位置情報サーバ６は、携帯電話機１からＧＰＳ衛星情報を受信すると共に、携帯電話機１から測位結果の要求を受付けると、携帯電話機１から受信されたＧＰＳ衛星情報ならびに先に携帯電話機１から受信されたＣＤＭＡ基地局情報の双方に基づいて携帯電話機１の位置を特定し、その特定された位置を表す測位結果を携帯電話機１に送信する。そして、携帯電話機１において、ＣＰＵ２は、位置情報サーバ６から測位結果がＣＤＭＡ無線部９により受信されたことを検出すると（ステップＳ２１にて「ＹＥＳ」）、その受信された測位結果を表示部１４に表示させる（ステップＳ２２）。
【００３１】
このように、携帯電話機１においては、「検索モード」として「ＧＰＳ／ＣＤＭＡ検索モード」を設定した場合であって、位置情報サーバ６から受信された「ウィンドウサイズ」により表される時間が閾値に対応する時間を越えていない場合、つまり、携帯電話機１がＧＰＳ衛星３を検索するのに要する検索時間が相対的に短い場合には、ＧＰＳ衛星３を検索し、その検索されたＧＰＳ衛星３に関するＧＰＳ衛星情報を検索して取得されたＧＰＳ衛星情報を位置情報サーバ６に送信することになり、位置情報サーバ６からＧＰＳ衛星情報ならびにＣＤＭＡ基地局情報の双方に基づいて特定された位置を表す測位結果を受信することになる。
【００３２】
これに対して、ＣＰＵ２は、「検索モード」として「ＣＤＭＡ検索モード」を設定すると、ＣＤＭＡ無線部９によりＣＤＭＡ基地局５を検索させ（ステップＳ２３）、ＣＤＭＡ基地局５に関するＣＤＭＡ基地局情報を取得するが（ステップＳ２４）、これ以降、ＧＰＳ無線部４によるＧＰＳ衛星３の検索を禁止させ、つまり、ＧＰＳ無線部４によるＧＰＳ衛星３の検索を行わせることなく、測位結果を要求する（ステップＳ２５）。
【００３３】
また、ＣＰＵ２は、「検索モード」として「ＧＰＳ／ＣＤＭＡ検索モード」を設定し、位置情報サーバ６から受信された「ウィンドウサイズ」により表される時間が閾値に対応する時間を越えていることを検出すると（ステップＳ１２にて「ＹＥＳ」）、この場合も、これ以降、ＧＰＳ無線部４によるＧＰＳ衛星３の検索を行わせることなく、測位結果を要求する（ステップＳ２５）。そして、この場合は、位置情報サーバ６は、携帯電話機１から測位結果の要求を受付けると、先に携帯電話機１から受信されたＣＤＭＡ基地局情報のみに基づいて携帯電話機１の位置を特定し、その特定された位置を表す測位結果を携帯電話機１に送信する。
【００３４】
このように、携帯電話機１においては、「検索モード」として「ＣＤＭＡ検索モード」を設定した場合や、位置情報サーバ６から受信された「ウィンドウサイズ」により表される時間が閾値に対応する時間を越えている場合、つまり、携帯電話機１がＧＰＳ衛星３を検索するのに要する検索時間が相対的に長い場合には、ＧＰＳ無線部４によるＧＰＳ衛星３の検索を禁止し、ＧＰＳ衛星３を検索することはなく、ＣＤＭＡ基地局５に関するＣＤＭＡ基地局情報のみを位置情報サーバ６に送信することになり、位置情報サーバ６からＣＤＭＡ基地局情報のみに基づいた測位結果を受信することになる。
【００３５】
また、ＣＰＵ２は、ＧＰＳ無線部４によるＧＰＳ衛星３の検索を開始させたのちに、ＧＰＳ衛星３の検索結果が適切であることを検出するよりも先に、計時部１６による計時が終了したことを検出すると（ステップＳ１５にて「ＹＥＳ」）、また、ユーザによる測位を中止する指示が操作部１３にて操作が行われたことを検出すると（ステップＳ１６にて「ＹＥＳ」）、ＧＰＳ無線部４によるＧＰＳ衛星３の検索を中止させ（ステップＳ２６）、計時部１６による計時を終了させ（ステップＳ２７）、それまでにＧＰＳ衛星３を検索させて取得されたＧＰＳ衛星情報を位置情報サーバ６に送信させると共に、測位結果を要求する（ステップＳ２８）。そして、この場合は、位置情報サーバ６は、携帯電話機１から測位結果の要求を受付けると、携帯電話機１から受信されたＧＰＳ衛星情報ならびに先に携帯電話機１から受信されたＣＤＭＡ基地局情報の双方に基づいて携帯電話機１の位置を特定し、その特定された位置を表す測位結果を携帯電話機１に送信する。
【００３６】
このように、携帯電話機１においては、「検索モード」として「ＧＰＳ／ＣＤＭＡ検索モード」を設定した場合であって、ＧＰＳ衛星３の検索を開始したのちに、所定時間の計時を終了したり、ユーザによる測位を中止する指示があった場合には、ＧＰＳ衛星３の検索を中止し、それまでに取得されたＧＰＳ衛星情報を位置情報サーバ６に送信することになり、位置情報サーバ６からＧＰＳ衛星情報ならびにＣＤＭＡ基地局情報の双方に基づいて特定された位置を表す測位結果を受信することになる。尚、この場合、それまでに取得されたＧＰＳ衛星情報を必ずしも位置情報サーバ６に送信する必要はなく、それまでに取得されたＧＰＳ衛星情報を位置情報サーバ６に送信しないように構成すれば、「検索モード」として「ＣＤＭＡ検索モード」を設定した場合と同様にして、位置情報サーバ６からＣＤＭＡ基地局情報のみに基づいて特定された位置を表す測位結果を受信することになる。
【００３７】
以上に説明したように本実施例によれば、携帯電話機１において、「検索モード」として「ＣＤＭＡ検索モード」を設定した場合や、携帯電話機１がＧＰＳ衛星３を検索するのに要する検索時間が相対的に短い場合には、ＧＰＳ無線部４によるＧＰＳ衛星３の検索を禁止するように構成したので、ＧＰＳ無線部４によるＧＰＳ衛星３の検索を禁止する分、測位結果を取得するまでに要する時間を短縮することができ、これによって、ユーザに長時間の待機を強いることを未然に回避することができ、利便性を高めることができる。
【００３８】
また、携帯電話機１において、「検索モード」として「ＧＰＳ／ＣＤＭＡ検索モード」を設定した場合であって、ＧＰＳ衛星３の検索を開始したのちに、所定時間の計時を終了したり、ユーザによる測位を中止する指示があった場合には、ＧＰＳ無線部４によるＧＰＳ衛星３の検索を中止するように構成したので、ＧＰＳ無線部４によるＧＰＳ衛星３の検索を中止する分、この場合も、測位結果を取得するまでに要する時間を短縮することができ、これによって、ユーザに長時間の待機を強いることを未然に回避することができ、利便性を高めることができる。
【００３９】
本発明は、上記した実施例にのみ限定されるものでなく、次のように変形または拡張することができる。
無線通信端末は、携帯電話機に限らず、携帯情報端末などの他の通信端末であっても良い。
【００４０】
携帯電話機において、位置情報サーバから受信された「ウィンドウサイズ」と閾値とを比較する構成に限らず、位置情報サーバにおいて、「ウィンドウサイズ」と閾値とを比較し、「ウィンドウサイズ」により表される時間が閾値に対応する時間を越えている場合には、ＧＰＳ衛星の検索を禁止する旨を表すメッセージを携帯電話機に送信し、携帯電話機において、位置情報サーバから当該メッセージを受信したことに応じてＧＰＳ衛星の検索を禁止する構成であっても良い。また、位置情報サーバにおいて、「ウィンドウサイズ」により表される時間が閾値に対応する時間を越えないように「ウィンドウサイズ」の値を補正し、その補正された「ウィンドウサイズ」を携帯電話機に送信する構成であっても良く、このように構成すれば、ＧＰＳ衛星を適切に検索することができる可能性が低下するものの、測位結果を取得するまでに要する時間を短縮することができる。
【００４１】
携帯電話機が学習機能を有することによって、閾値が自動的に最適な値に決定される構成であっても良い。
携帯電話機の動作モードの一つとして、つまり、特定の動作モードを設定した場合に限って、上記した処理を実行する構成であっても良い。
ＣＰＵが実行するコンピュータプログラムは、最初（例えば製品化の段階）から記憶されているものに限らず、例えば特定のサーバから電話網を通じてダウンロードされたり、或いは、ＣＤ−ＲＯＭ（Compact Disk−Read Only Memory）やカードなどの記録媒体から転送されてインストールされるものであっても良い。
【図面の簡単な説明】
【図１】本発明の一実施例の携帯電話機の機能ブロックならびに周辺の構成を概略的に示す図
【図２】フローチャート
【図３】図２相当図
【図４】「検索モード」を選択する選択画面の一例を示す図
【符号の説明】
図面中、１は携帯電話機（無線通信端末）、２はＣＰＵ（制御手段）、３はＧＰＳ衛星、４はＧＰＳ無線部（検索手段）、５はＣＤＭＡ基地局、６は位置情報サーバ、９はＣＤＭＡ無線部（検索手段、電話無線手段）、１３は操作部（操作手段）、１６は計時部である。
【図１】
0003791369.tif 000002
【図２】
0003791369.tif 000003
【図３】
0003791369.tif 000004
【図４】
0003791369.tif 000005